(57)【特許請求の範囲】
【請求項１】
第１内歯が形成されている剛性の第１内歯歯車と、
前記第１内歯歯車に同軸に並列配置され、第２内歯が形成されている剛性の第２内歯歯車と、
前記第１、第２内歯歯車の内側に同軸に配置され、半径方向に撓み可能な円筒体の外周面に、前記第１内歯にかみ合い可能な第１外歯および前記第２内歯にかみ合い可能で前記第１外歯とは歯数が異なる第２外歯が形成されている可撓性の外歯歯車と、
前記外歯歯車を楕円状に撓めて、前記第１外歯を前記第１内歯に部分的にかみ合わせ、前記第２外歯を前記第２内歯に部分的にかみ合わせる波動発生器と、
を有しており、
前記波動発生器は、剛性のプラグと、前記プラグの外周面に形成した楕円状輪郭の外周面と、前記外周面に装着され、前記第１外歯を支持するボールベアリングからなる第１ウエーブベアリングと、前記外周面に装着され、前記第２外歯を支持するボールベアリングからなる第２ウエーブベアリングとを備えており、
前記第１外歯のモジュールをｍ１、前記第２外歯のモジュールをｍ２とし、
ｎ１、ｎ２を正の整数として、前記第１外歯と前記第１内歯の歯数差を２ｎ１、前記第２外歯と前記第２内歯の歯数差を２ｎ２と表し、
楕円状に撓められる前記第１外歯の長軸位置における半径方向撓み量の理論値ｄ１および前記第２外歯の半径方向撓み量の理論値ｄ２を、それぞれ、
ｄ１＝ｍ１ｎ１
ｄ２＝ｍ２ｎ２
と表すものとすると、
前記波動発生器によって撓められる前記第１外歯の半径方向撓み量をｄ１ａ、第２外歯の半径方向撓み量をｄ２ａ、ωを１よりも大きな値を有する係数であるとすると、
前記第１外歯の前記半径方向撓み量ｄ１ａが前記第２外歯の前記半径方向撓み量ｄ２ａよりも大きく、
前記長軸位置を含む断面においては、前記外歯歯車は、その歯筋方向に沿って、前記第２外歯の外端から第１外歯の外端に向けて、前記外端からの距離に応じて撓み量が増加しており、
前記半径方向撓み量ｄ１ａおよびｄ２ａは、それぞれ前記第１、第２外歯７、８の平均半径方向撓み量であり、
これらの半径方向撓み量ｄ１ａ、ｄ２ａは、
ｄ１ａ＝ωｄ１
ｄ２ａ＝ωｄ２
であり、
前記係数ωは、
１．４  ≦  ω  ≦  ３
であることを特徴とするデュアルタイプの波動歯車装置。
【請求項２】
前記第１外歯の歯数は前記第１内歯の歯数とは異なり、
前記第２外歯の歯数は前記第２内歯の歯数とは異なる、
請求項１に記載の波動歯車装置。
【請求項３】
前記第１外歯の歯数は前記第１内歯の歯数よりも少なく、
前記第１内歯の歯数と前記第２内歯の歯数は同一である、
請求項１または２に記載の波動歯車装置。
【請求項４】
前記波動発生器は回転入力要素であり、
前記第１内歯歯車および前記第２内歯歯車のうち、一方は回転しないように固定された静止側内歯歯車であり、他方は減速回転出力要素である駆動側内歯歯車である、
請求項１ないし３のうちのいずれか一つの項に記載の波動歯車装置。
【発明の詳細な説明】
【技術分野】
【０００１】
本発明は、一対の内歯歯車、半径方向に撓み可能な円筒状の外歯歯車、および波動発生器を備えた波動歯車装置に関する。
【背景技術】
【０００２】
円筒状の外歯歯車を備えた波動歯車装置は、一般に、回転しないように固定される静止側内歯歯車と、回転入力要素である波動発生器と、減速回転出力要素である駆動側内歯歯車と、静止側内歯歯車および駆動側内歯歯車にかみ合い可能で半径方向に撓み可能な円筒状の外歯歯車とを備えている。典型的な波動歯車装置では、外歯歯車は楕円状に撓められて静止側および駆動側の内歯歯車に対して楕円形状の長軸両端の位置でかみ合っている。
【０００３】
特許文献１には、静止側内歯歯車の歯数が外歯歯車より２枚多く、駆動側内歯歯車の歯数が外歯歯車と同一の一般的な波動歯車装置が記載されている。外歯歯車の外歯は、その歯筋方向の中央部分で二分され、一方の外歯部分が静止側内歯歯車にかみ合い可能であり、他方の外歯部分が駆動側内歯歯車にかみ合い可能である。波動発生器が回転すると、外歯歯車が、静止側内歯歯車との歯数差に応じた速比で減速回転する。外歯歯車と一体回転する駆動側内歯歯車から、外歯歯車の減速回転が出力される。
【０００４】
特許文献２には、静止側内歯歯車の歯数が外歯歯車よりも２枚多く、駆動側内歯歯車の歯数が外歯歯車よりも２枚少ない波動歯車装置が記載されている。この波動歯車装置では、波動発生器が回転すると、外歯歯車が、静止側内歯歯車との歯数差に応じた速比で減速回転する。外歯歯車の回転は、当該外歯歯車と駆動側内歯歯車との間の歯数差に応じた速比で増速されて、駆動側内歯歯車から出力される。駆動側内歯歯車から出力される回転は、波動発生器への入力回転に対して、速比５０よりも小さな速比で減速された減速回転になる。
【０００５】
一方、特許文献２、３には、２列のボールベアリングを備えた波動発生器を有する波動歯車装置が記載されている。この形式の波動発生器は、楕円状輪郭の外周面を備えた剛性プラグと、この外周面に装着した２列のボールベアリングとから構成される。楕円状に撓められている各ボールベアリングの外輪の外周面の長軸両端の部分によって、可撓性外歯歯車が半径方向の外方に押されて、第１、第２剛性内歯歯車に対するかみ合いが保持される。
【先行技術文献】
【特許文献】
【０００６】
【特許文献１】特開２０１１−１１２２１４号公報
【特許文献２】特開平０２−２７５１４７号公報
【特許文献３】実開平０１−９１１５１号公報
【発明の概要】
【発明が解決しようとする課題】
【０００７】
ここで、外歯歯車として、半径方向に撓み可能な円筒体の外周面に、一方の内歯歯車にかみ合い可能な第１外歯と、他方の内歯歯車にかみ合い可能で第１外歯とは歯数の異なる第２外歯とが形成されたものを用いることが考えられる。このようにすれば、特許文献２に記載されている波動歯車装置と同様に、速比が５０未満の波動歯車装置を実現可能である。また、特許文献２に記載の波動歯車装置に比べて、５０未満の速比を備えた波動歯車
装置を、より高い自由度で設計可能になる。
【０００８】
本明細書においては、撓み可能な円筒体の外周面に、歯数が異なる第１、第２外歯が形成されている外歯歯車を備えた波動歯車装置を、「デュアルタイプの波動歯車装置」と呼ぶものとする。
【０００９】
デュアルタイプの波動歯車装置においては、外歯歯車の第１外歯および第２外歯が共通の円筒体の外周面に形成されており、それらの歯底リム部は相互に繋がっている。円筒体が波動発生器によって楕円状に撓められると、歯数の異なる第１、第２外歯は、それぞれ別の内歯歯車にかみ合う。
【００１０】
ここで、各外歯の撓み量の設定は、それらの外歯のかみ合い状態、耐摩耗性、および歯底疲労強度に大きく影響を与える。また、各外歯の撓み状態は、第１、第２外歯を支持する波動発生器の各ウエーブベアリングのボール荷重分布に大きく影響を与え、これらのウエーブベアリングの寿命にも影響を与える。
【００１１】
第１、第２外歯が独立した歯車の場合には、各歯車を、別個の波動発生器によって、各歯車に適した撓み量となるように楕円状に撓めることができる。これにより、第１、第２外歯をそれぞれ適切なかみ合い状態で対応する内歯にかみ合わせることができる。
【００１２】
しかしながら、デュアルタイプの波動歯車装置の場合には、共通の円筒体の外周面に第１、第２外歯が形成されているので、第１、第２外歯をそれらの歯数に応じて異なる撓み量で独立して撓めることができない。また、一方の外歯に適した撓み量で円筒体を撓めると、他方の外歯のかみ合い状態を適切な状態に維持できないことがある。さらに、第１、第２外歯のそれぞれの撓み状態が他方の撓み状態に影響を及ぼすので、双方の撓み状態の相互作用を考慮しないと、各外歯を適切なかみ合い状態となるように撓めることができない。
【００１３】
本発明の課題は、このような点に鑑みて、歯数の異なる第１、第２外歯を適切に撓めて各内歯歯車との間で良好なかみ合い状態を形成可能なデュアルタイプの波動歯車装置を提供することにある。
【００１４】
また、本発明の課題は、歯数の異なる第１、第２外歯を適切に撓めることにより、これらを支持する波動発生器のウエーブベアリングのベアリングボール荷重分布の均一化を図ったデュアルタイプの波動歯車装置を提供することにある。
【課題を解決するための手段】
【００１５】
上記の課題を解決するために、本発明のデュアルタイプの波動歯車装置は、
第１内歯が形成されている剛性の第１内歯歯車と、
前記第１内歯歯車に同軸に並列配置され、第２内歯が形成されている剛性の第２内歯歯車と、
前記第１、第２内歯歯車の内側に同軸に配置され、半径方向に撓み可能な円筒体の外周面に、前記第１内歯にかみ合い可能な第１外歯および前記第２内歯にかみ合い可能で前記第１外歯とは歯数が異なる第２外歯が形成されている可撓性の外歯歯車と、
前記外歯歯車を楕円状に撓めて、前記第１外歯を前記第１内歯に部分的にかみ合わせ、前記第２外歯を前記第２内歯に部分的にかみ合わせる波動発生器と、
を有しており、
前記第１外歯のモジュールをｍ１、前記第２外歯のモジュールをｍ２とし、
ｎ１、ｎ２を正の整数として、前記第１外歯と前記第１内歯の歯数差を２ｎ１、前記第２外歯と前記第２内歯の歯数差を２ｎ２と表し、
楕円状に撓められる前記第１外歯の長軸位置における半径方向撓み量の理論値ｄ１および前記第２外歯の半径方向撓み量の理論値ｄ２を、それぞれ、
ｄ１＝ｍ１ｎ１
ｄ２＝ｍ２ｎ２
と表すものとすると、
前記波動発生器によって撓められる前記第１外歯の半径方向撓み量をｄ１ａ、第２外歯の半径方向撓み量をｄ２ａ、ωを１よりも大きな値の係数とすると、これらの半径方向撓み量ｄ１ａ、ｄ２ａは、
ｄ１ａ＝ωｄ１
ｄ２ａ＝ωｄ２
であることを特徴としている。
【００１６】
すなわち、第１、第２外歯の半径方向撓み量ｄ１、ｄ２の双方が、それらの理論値ｄ１、ｄ２よりも大きくなるように設定される。具体的には、このような撓み量で第１、第２外歯が撓められるように、波動発生器の輪郭形状が設定される。
【００１７】
ここで、係数ωの値は次の範囲内とすることが望ましい。
１．２５  ≦  ω  ≦  ３
【００１８】
外歯歯車を楕円状に撓める前の真円の状態において、その円筒体（歯底リム）の厚みの中央を通る円をリム中立円とする。このリム中立円は、外歯歯車を楕円状に撓めることによって楕円状に変形する。これを楕円状リム中立曲線と呼ぶものとする。外歯歯車の半径方向撓み量は、楕円状リム中立曲線における長軸の半径とリム中立円の半径との差であり、外歯歯車のモジュールをｍ、２ｎ（ｎ：正の整数）を内歯歯車との歯数差、ωを撓み係数として、ωｍｎと表される。ω＝１の場合の半径方向撓み量ｍｎは、外歯歯車のピッチ円直径を、剛性内歯車を固定した場合の減速比で除した値であり、これが半径方向撓み量の理論値（標準撓み量）である。
【００１９】
同一の円筒体の外周面に形成されている歯数の異なる第１、第２外歯の場合には、双方のピッチ円直径がほぼ同一である。よって、半径方向撓み量の理論値ｍｎは歯数の多い方が小さくなる。
【００２０】
本発明では、歯数の異なる第１、第２外歯の半径方向撓み量を双方共に、上記のように、理論値よりも大きな値（ω＞１）に設定してある。このように第１、第２外歯の撓み量を理論値よりも大きな値に設定すると、双方の外歯を共に良好なかみ合い状態で内歯のそれぞれにかみ合わせることができ、第１、第２外歯の耐摩耗性および歯底疲労強度を高めることが可能である。特に、上記ようにωの値を設定することで、第１、第２外歯の良好なかみ合い状態を形成でき、それらの耐摩耗性および歯底疲労強度を高めることができる。
【００２１】
また、波動発生器が、第１、第２外歯をそれぞれ支持している２列のウエーブベアリングを備えている場合には、各ウエーブベアリングのベアリングボール荷重分布の均一化を図ることができる。これにより、ウエーブベアリングの寿命を向上させることができる。
【００２２】
次に、本発明のデュアルタイプの波動歯車装置において、第１内歯の歯数をＺｃ１、第２内歯の歯数をＺｃ２、第１外歯の歯数をＺｆ１、第２外歯の歯数をＺｆ２とすると、第１内歯歯車と第１外歯を備えた外歯歯車との間の速比Ｒ１、第２内歯歯車と第２外歯を備えた外歯歯車との間の速比Ｒ２、および、波動歯車装置の速比Ｒは、それぞれ次のように表される。
Ｒ１＝１／｛（Ｚｆ１−Ｚｃ１）／Ｚｆ１｝
Ｒ２＝１／｛（Ｚｆ２−Ｚｃ２）／Ｚｆ２｝
Ｒ＝（Ｒ１・Ｒ２−Ｒ１）／（−Ｒ１＋Ｒ２）
【００２３】
したがって、５０未満、例えば、３０よりも大幅に低い速比を得ることが可能である。また、従来とは異なり、外歯歯車の外歯として、歯数、モジュールの異なる第１外歯および第２外歯が形成されている。よって、速比設定のための設計の自由度が高く、低い速比の波動歯車装置を従来に比べて、容易に実現できる。
【００２４】
本発明のデュアルタイプの波動歯車装置では、一般に、第１外歯の歯数Ｚｆ１は第１内歯の歯数Ｚｃ１とは異なり、第２外歯の歯数Ｚｆ２は第２内歯の歯数Ｚｃ２とは異なる。例えば、第１外歯の歯数Ｚｆ１を第１内歯の歯数Ｚｃ１よりも少なくし、第１内歯の歯数Ｚｃ１と第２内歯の歯数Ｚｃ２を同一とすることができる。
【００２５】
また、波動発生器が回転入力要素とされ、第１内歯歯車および第２内歯歯車のうち、一方が回転しないように固定された静止側内歯歯車とされ、他方が減速回転出力要素である駆動側内歯歯車とされる。
【図面の簡単な説明】
【００２６】
【図１】本発明を適用したデュアルタイプの波動歯車装置の端面図および縦断面図である。
【図２】図１のデュアルタイプの波動歯車装置の模式図である。
【図３】図１の波動歯車装置の部分拡大断面図である。
【図４】図１の外歯歯車の撓み状態を示す説明図である。
【発明を実施するための形態】
【００２７】
以下に、図面を参照して、本発明を適用したデュアルタイプの波動歯車装置の実施の形態を説明する。
【００２８】
図１（ａ）は本発明の実施の形態に係るデュアルタイプの波動歯車装置（以下、単に「波動歯車装置」と呼ぶ。）を示す端面図であり、図１（ｂ）は図１（ａ）のｂ−ｂ線で切断した部分を示す縦断面図である。また、図２は図１の波動歯車装置の模式図である。波動歯車装置１は、例えば減速機として用いられ、円環状の剛性の第１内歯歯車２と、円環状の剛性の第２内歯歯車３と、半径方向に撓み可能な薄肉弾性体からなる円筒形状の可撓性の外歯歯車４と、楕円状輪郭の波動発生器５とを備えている。
【００２９】
第１、第２内歯歯車２、３は、中心軸線１ａの方向に、所定の隙間を開けて、同軸に並列配置されている。本例では、第１内歯歯車２は回転しないように固定された静止側内歯歯車であり、その第１内歯２ａの歯数はＺｃ１である。第２内歯歯車３は回転自在の状態に支持された駆動側内歯歯車であり、その第２内歯３ａの歯数はＺｃ２である。第２内歯歯車３は波動歯車装置１の減速回転出力要素である。
【００３０】
円筒形状の外歯歯車４は、第１、第２内歯歯車２、３の内側に同軸に配置されている。外歯歯車４は、半径方向に撓み可能な薄肉弾性体である円筒体６と、この円筒体６の円形外周面に形成した第１外歯７および第２外歯８と、これらの間に形成したカッター逃げ部として機能する隙間９（図３参照）とを備えている。第１外歯７は、円筒体６の円形外周面において、中心軸線１ａの方向における一方の側に形成され、第２外歯８は他方の第２内歯３ａの側に形成されている。これら第１、第２外歯７、８は、中心軸線１ａの方向が歯筋方向となるように形成されている。
【００３１】
すなわち、第１外歯７は第１内歯２ａに対峙する側に形成され、その歯数はＺｆ１であ
り、第１内歯２ａにかみ合い可能である。第２外歯８は第２内歯３ａに対峙する側に形成され、その歯数はＺｆ２であり、第２内歯３ａにかみ合い可能である。これらの歯数Ｚｆ１、Ｚｆ２は異なる。
【００３２】
波動発生器５は、楕円状輪郭の剛性プラグ１１と、この剛性プラグ１１の楕円状外周面に装着した第１ウエーブベアリング１２および第２ウエーブベアリング１３とを備えている。第１、第２ウエーブベアリング１２、１３はボールベアリングから形成されている。
【００３３】
波動発生器５は外歯歯車４の円筒体６の内周面に嵌め込まれ、円筒体６を楕円状に撓めている。したがって、第１、第２外歯７、８も楕円状に撓められている。楕円状に撓められた外歯歯車４は、その楕円形状の長軸Ｌｍａｘの両端位置において、第１、第２内歯歯車２、３にかみ合っている。すなわち、第１外歯７が楕円形状の長軸の両端位置において第１内歯２ａにかみ合っており、第２外歯８が長軸の両端位置において第２内歯３ａにかみ合っている。
【００３４】
波動発生器５は波動歯車装置１の入力回転要素である。波動発生器５の剛性プラグ１１は軸穴１１ｃを備えており、ここに、入力回転軸１０（図２参照）が同軸に連結固定される。例えば、モーター出力軸が連結固定される。波動発生器５が回転すると、外歯歯車４の第１外歯７と静止側の第１内歯２ａのかみ合い位置、および、外歯歯車４の第２外歯８と駆動側の第２内歯３ａのかみ合い位置が円周方向に移動する。
【００３５】
第１外歯７の歯数Ｚｆ１と第２外歯８の歯数Ｚｆ２とは異なり、本例では第２外歯Ｚｆ２の歯数の方が多い。また、第１内歯２ａの歯数Ｚｃ１は第１外歯７の歯数Ｚｆ１とは異なり、本例では、第１内歯２ａの歯数Ｚｃ１の方が多い。第２内歯３ａの歯数Ｚｃ２と第２外歯８の歯数Ｚｆ２とは異なり、本例では、第２内歯３ａの歯数Ｚｃ２の方が少ない。
【００３６】
本例では、外歯歯車４が楕円状に撓められて円周方向の２か所で内歯歯車２、３にかみ合う。したがって、第１外歯７の歯数Ｚｆ１と第２外歯８の歯数Ｚｆ２との差は、ｎ０を正の整数とすると、２ｎ０枚である。同様に、第１内歯２ａの歯数Ｚｃ１と第１外歯７の歯数Ｚｆ１との差は、ｎ１を正の整数とすると、２ｎ１枚である。第２内歯３ａの歯数Ｚｃ２と第２外歯８の歯数Ｚｆ２との差は、ｎ２を正の整数とすると、２ｎ２枚である。
Ｚｆ１＝Ｚｆ２＋２ｎ０
Ｚｃ１＝Ｚｆ１＋２ｎ１
Ｚｃ２＝Ｚｆ２−２ｎ２
【００３７】
具体例として、各歯数は次のように設定される（ｎ０＝ｎ１＝ｎ２＝１）。
Ｚｃ１＝６２
Ｚｆ１＝６０
Ｚｃ２＝６２
Ｚｆ２＝６４
【００３８】
第１内歯歯車２と第１外歯７の間の速比Ｒ１、第２内歯歯車３と第２外歯８の間の速比Ｒ２は、それぞれ次のようになる。
ｉ１＝１／Ｒ１＝（Ｚｆ１−Ｚｃ１）／Ｚｆ１＝（６０−６２）／６０＝−１／３０
ｉ２＝１／Ｒ２＝（Ｚｆ２−Ｚｃ２）／Ｚｆ２＝（６４−６２）／６４＝１／３２
したがって、Ｒ１＝−３０、Ｒ２＝３２が得られる。
【００３９】
波動歯車装置１の速比Ｒは、速比Ｒ１、Ｒ２を用いて、次式で表される。よって、本発明によれば、大幅に小さな速比（低減速比）の波動歯車装置を実現できる。（なお、速比のマイナス符号は、出力回転の方向が入力回転の方向とは逆方向であることを示す。）
Ｒ＝（Ｒ１・Ｒ２−Ｒ１）／（−Ｒ１＋Ｒ２）
＝（−３０×３２＋３０）／（３０＋３２）
＝−９３０／６２
＝−１５
【００４０】
（隙間：カッター逃げ部）
図３は波動歯車装置１の部分拡大断面図であり、外歯歯車４および波動発生器５の第１、第２ウエーブベアリング１２、１３を示す。第１、第２外歯７、８の間に形成されている隙間９は、第１、第２外歯７、８を歯切するために用いる歯切り用カッターのカッター逃げ部として機能する。
【００４１】
まず、第１、第２外歯７、８について説明する。本例の第１、第２内歯２ａ、３ａの歯幅が実質的に同一である。したがって、円筒体６における歯筋方向の中央位置６ａを中心として、対称な状態で同一歯幅の第１外歯７および第２外歯８が形成されている。第１内歯２ａ、第２内歯３ａの歯幅が相互に異なる場合には、これに対応させて、第１外歯７、第２外歯８も異なる歯幅とされる。
【００４２】
隙間９は、歯筋方向に所定の幅を有し、歯筋方向の中央部分において歯丈方向に最深となる最深部を有している。本例では、歯厚方向から見た場合に、歯筋方向の中央部分が歯筋方向に平行に延びる直線によって規定される最深部９ａとなっている。最深部９ａにおける歯筋方向の両端には、第１外歯７の歯筋方向の内側端面７ａを規定する凹円弧曲線および第２外歯８の歯筋方向の内側端面８ａを規定する凹円弧曲線が滑らかに繋がっている。最深部９ａを凹曲面によって規定し、両側の内側端面７ａ、８ａを傾斜直線によって規定することもできる。また、最深部９ａを直線によって規定し、両側の内側端面７ａ、８ａを傾斜直線によって規定することもできる。
【００４３】
本例の隙間９の歯筋方向の幅は、最深部９ａから歯丈方向に向けて漸増している。その歯筋方向における最大幅Ｌ１は、第１外歯７の歯先円の歯筋方向の内側端７ｂから、第２外歯８の歯先円の歯筋方向の内側端８ｂまでの歯筋方向の距離である。
【００４４】
ここで、第１外歯７の歯筋方向の外端７ｃから第２外歯８の歯筋方向の外端８ｃまでの幅をＬ、隙間９の歯筋方向における最大幅をＬ１とすると、
０．１Ｌ  ＜  Ｌ１  ＜  ０．３Ｌ
に設定されている。
【００４５】
また、隙間９の最深部９ａの深さは次のように設定されている。第１外歯７の歯丈をｈ１、第２外歯８の歯丈をｈ２、第１外歯７の歯先面７ｄから最深部９ａまでの歯丈方向の深さをｔ１、第２外歯８の歯先面８ｄから最深部９ａまでの歯丈方向の深さをｔ２とすると、
０．９ｈ１  ＜  ｔ１  ＜  １．３ｈ１
０．９ｈ２  ＜  ｔ２  ＜  １．３ｈ２
に設定されている。
【００４６】
デュアルタイプの波動歯車装置１の外歯歯車４においては、第１、第２外歯７、８の歯切りを行うために用いる歯切り用カッターも異なる。したがって、外歯歯車４の歯筋方向の中央部分、すなわち、第１外歯７と第２外歯８の間に、カッター逃げ部として機能する隙間９が形成されている。
【００４７】
この隙間９をどのように形成するのかによって、歯筋方向における第１内歯２ａに対する第１外歯７の歯当り、および歯面荷重分布が大きく影響を受ける。同様に、歯筋方向に
おける第２内歯３ａに対する第２外歯８の歯当り、および歯面荷重分布が大きく影響を受ける。
【００４８】
この点に着目して、上記のように、隙間９の最大幅Ｌ１を外歯歯車４の幅Ｌの０．１倍から０．３倍までの範囲内に設定し、その最大深さｔ１、ｔ２を、第１、第２外歯７、８の歯丈ｈ１、ｈ２の０．９倍から１．３倍までの範囲内に設定している。このように隙間９を形成することで、第１、第２外歯７、８の歯筋方向の歯面荷重分布を均一化でき、第１、第２内歯２ａ、３ａに対する第１、第２外歯７、８の歯筋方向の各位置で歯当りも良好な状態に維持できることが確認された。
【００４９】
したがって、速比が３０以下の波動歯車装置を容易に実現できると共に、外歯歯車の歯底疲労強度が高く、負荷容量の大きな波動歯車装置を実現できる。
【００５０】
（ベアリングボール中心間距離）
次に、図３を参照して第１、第２ウエーブベアリング１２、１３のベアリングボール中心間距離について説明する。
【００５１】
波動発生器５の剛性プラグ１１は、その中心軸線の方向の一方の側に、一定幅の楕円形輪郭の第１外周面１１ａが形成され、他方の側に、一定幅の楕円状輪郭の第２外周面１１ｂが形成されている。第１外周面１１ａと第２外周面１１ｂとは、同一形状で同一位相の楕円形状の外周面である。
【００５２】
第１外周面１１ａには、楕円状に撓められた状態で第１ウエーブベアリング１２が装着されており、第２外周面１１ｂには、楕円状に撓められた状態で第２ウエーブベアリング１３が装着されている。第１、第２ウエーブベアリング１２、１３は同一サイズのベアリングである。
【００５３】
第１ウエーブベアリング１２および第２ウエーブベアリング１３のベアリングボール中心１２ａ、１３ａは、外歯歯車４の歯幅方向の中央位置６ａから、歯幅方向に等距離の位置にある。また、ベアリングボール中心間距離は、隙間９の最大幅Ｌ１の増加に伴って増加するように設定される。さらに、ベアリングボール中心間距離をＬｏとすると、当該ボール中心間距離Ｌｏは次式で示す範囲内の値となるように設定されている。
０．３５Ｌ  ＜  Ｌｏ  ＜  ０．７Ｌ
【００５４】
従来においては、外歯歯車の支持面積を広くするために、２列のボールベアリングを備えた波動発生器が使用されている。ボール中心間距離については何ら考慮されておらず、２列のボールベアリングは外歯歯車の歯幅方向の中央部分に寄せて配置されている。
【００５５】
本例では、歯数の異なる第１、第２外歯７、８の支持剛性を高め、各外歯７、８の歯筋方向の各位置において内歯２ａ、３ａに対する歯当りを改善できるように、２列のウエーブベアリング１２、１３のボール中心間距離Ｌｏを広げてある。すなわち、上記のように、第１、第２外歯７、８の間に形成されるカッター逃げ部として機能する隙間９の歯筋方向の最大幅Ｌ１の増加に伴って、ボール中心間距離Ｌｏを広げる（増加させる）ようにしている。また、ボール中心間距離Ｌｏの増減の範囲を外歯歯車４の幅Ｌに対して０．３５倍から０．７倍までの範囲としてある。
【００５６】
これにより、形成される隙間９の幅に応じて、第１、第２外歯７、８のそれぞれに対して、歯筋方向における適切な位置にボール中心が位置するように、第１、第２ウエーブベアリング１２、１３を配置できる。これにより、第１、第２外歯７、８のそれぞれの歯幅方向の各位置において、第１、第２外歯７、８を第１、第２ウエーブベアリング１２、１
３によって確実に支持できる（波動発生器５の支持剛性を高めることができる。）。
【００５７】
この結果、第１、第２外歯７、８の歯幅方向の各位置における歯当りを改善でき、これらの歯底疲労強度を高めることができる。また、波動発生器５の各ウエーブベアリング１２、１３におけるベアリングボール荷重分布を平均化でき、その最大荷重を低減できるので、波動発生器５の寿命を改善できる。
【００５８】
（外歯歯車の撓み量）
本例の外歯歯車４の第１、第２外歯７、８は、上記構成の２列のウエーブベアリング１２、１３を備えた波動発生器５によって、異なる撓み量で楕円形状に撓められる。第１外歯７のモジュールをｍ１、第２外歯８のモジュールをｍ２とする。先に述べたように、第１外歯７と第１内歯２ａの歯数差は２ｎ１であり、第２外歯８と第２内歯３ａの歯数差は２ｎ２である。
【００５９】
楕円状に撓められる第１外歯７の長軸位置Ｌｍａｘにおける半径方向撓み量の理論値ｄ１および前記第２外歯８の半径方向撓み量の理論値ｄ２を、それぞれ、
ｄ１＝ｍ１ｎ１
ｄ２＝ｍ２ｎ２
と表すことができる。
【００６０】
本例では、波動発生器５によって撓められる第１外歯７の半径方向撓み量ｄ１ａをその理論値ｄ１よりも大きな値にしてある。同様に、第２外歯８の半径方向撓み量ｄ２も、その理論値ｄ２よりも大きな値にしてある。特に、本例では、半径方向撓み量ｄ１ａ、ｄ２ａを、次の範囲内に設定している。
ｄ１ａ＝ωｄ１
ｄ２ａ＝ωｄ２
１．２５  ≦  ω  ≦  ３
【００６１】
図４は外歯歯車４の撓み状態を誇張して示す説明図である。この図４を参照して説明すると、外歯歯車４を楕円状に撓める前の真円の状態において、その円筒体（歯底リム）６の厚みの中央を通る円をリム中立円Ｃとする。このリム中立円Ｃは、外歯歯車４を楕円状に撓めることによって楕円状に変形する。これを楕円状リム中立曲線と呼ぶものとする。外歯歯車４の半径方向撓み量は、楕円状リム中立曲線における長軸Ｌｍａｘの半径とリム中立円Ｃの半径との差である。
【００６２】
本例では、第１外歯７の側の半径方向撓み量が第２外歯８の側の半径方向撓み量よりも多い。したがって、図４において誇張して示すように、長軸Ｌｍａｘを含む断面においては、外歯歯車４は、その歯筋方向に沿って、第２外歯８の外端８ｃから第１外歯７の外端７ｃに向けて、外端８ｃからの距離に略比例して撓み量が増加する。上記の半径方向撓み量ｄ１ａおよびｄ２ａは、それぞれ第１、第２外歯７、８の平均撓み量である。それらの歯筋方向の中央位置における撓み量（楕円状リム中立曲線Ｃ１、Ｃ２とリム中立円Ｃとの差）に略等しい。
【００６３】
歯数の異なる第１、第２外歯７、８を、上記のように理論値よりも大きな値に設定することにより、双方の外歯７、８を共に良好なかみ合い状態で、各内歯歯車にかみ合わせることができ、第１、第２外歯７、８の耐摩耗性および歯底疲労強度が改善されることが確認された。また、第１、第２外歯７、８のそれぞれを支持している２列のウエーブベアリング１２、１３のベアリングボール荷重分布を均一化でき、ウエーブベアリング１２、１３の寿命を向上できることが確認された。
【００６４】
（その他の実施の形態）
なお、上記の例では、第１内歯歯車２を静止側内歯歯車、第２内歯歯車３を駆動側内歯歯車としている。逆に、第１内歯歯車２を駆動側内歯歯車、第２内歯歯車３を静止側内歯歯車とすることもできる。
【符号の説明】
【００６５】
１  波動歯車装置、
１ａ  中心軸線、
２  第１内歯歯車、
２ａ  第１内歯、
３  第２内歯歯車、
３ａ  第２内歯、
４  外歯歯車、
５  波動発生器、
６  円筒体、
６ａ  中央位置、
７  第１外歯、
７ａ  内側端面、
７ｂ  内側端、
７ｃ  外端、
７ｄ  歯先面、
８  第２外歯、
８ａ  内側端面、
８ｂ  内側端、
８ｃ  外端、
８ｄ  歯先面、
９  隙間、
９ａ  最深部、
１０  入力回転軸、
１１  剛性プラグ、
１１ａ  第１外周面、
１１ｂ  第２外周面、
１１ｃ  軸穴、
１２  第１ウエーブベアリング、
１２ａ  ベアリングボール中心、
１３  第２ウエーブベアリング、
１３ａ  ベアリングボール中心、
Ｌｏ  ベアリングボール中心間距離、
Ｌ  幅、
Ｌ１  最大幅、
ｈ１  歯丈、
ｈ２  歯丈、
ｔ１  深さ、
ｔ２  深さ、
Ｃ  リム中立円
Ｃ１、Ｃ２  楕円状リム中立曲線、
Ｌｍａｘ  長軸
【図１】
0006370624.tif 000002
【図２】
0006370624.tif 000003
【図３】
0006370624.tif 000004
【図４】
0006370624.tif 000005